(57)【要約】【課題】ビーコンを出力するための電力供給源を安定して確保する照明器具を提供する。【解決手段】照明器具１は、バッテリ１０３を有する。また、照明器具１は、商用電源１０又は前記バッテリ１０３のいずれかを電力供給元とするＬＥＤ照明部１０９を有する。さらに、照明器具１は、ビーコン送信部１０１を有する。そして、ビーコン送信部１０１は、前記商用電源１０から電力が供給されている場合に、前記商用電源１０から供給される電力により動作して、前記商用電源１０から供給される電力が停止した場合に、前記バッテリ１０３から供給される電力により動作して、所定の情報を出力する。【選択図】図２
2016181453.tif 000002
【特許請求の範囲】
【請求項１】
バッテリと；
商用電源又は前記バッテリのいずれかを電力供給元として発光する発光部と；
前記商用電源から電力が供給されている場合、前記商用電源から供給される電力により動作し、前記商用電源から供給される電力が停止した場合、前記バッテリから供給される電力により動作して、所定の情報を出力する情報出力部と；
を具備する照明器具。
【請求項２】
前記情報出力部は、前記商用電源から供給される電力により動作する場合に第１情報を出力し、前記バッテリから供給される電力により動作する場合に第２情報を出力する請求項１に記載の照明器具。
【請求項３】
前記照明器具は、非常灯又は誘導灯である請求項１又は２に記載の照明器具。
【請求項４】
前記バッテリを前記電力供給元として選択するスイッチ部を有し、前記情報出力部は、前記スイッチ部から電力供給元の切替通知を受信して、出力する情報を切り替える請求項１ないし３のいずれか一に記載の照明器具。
【請求項５】
前記商用電源と前記バッテリとの結線上で、且つ前記バッテリと前記発光部との結線上に前記情報出力部が接続されることを特徴とする請求項１〜４のいずれか一つに記載の照明器具。
【発明の詳細な説明】
【技術分野】
【０００１】
本発明は、照明器具に関する。
【背景技術】
【０００２】
近年、携帯端末や、スマートフォンといった携帯型端末装置の普及により、ネットワークを介した広告配信などのネットワークを用いて情報配信を行うシステムが増加している。ネットワークを用いた情報配信としては、広告配信の他にも非常時における避難場所などの情報の配信やイベント情報の配信など様々な形態がある。このような情報配信には、特に、その端末装置が存在する場所に応じた情報の提供が望まれることが多い。
【０００３】
例えば、広告配信の場合を例に位置に応じた情報提供について説明する。端末装置を持った利用者がある店に入った場合に、その店が勧める商品などの情報が端末装置に送信される。利用者は端末装置に配信された情報を参照して、購買指針の決定などを行う。
【０００４】
このような位置に応じた情報配信において、各地点に情報提供用の装置を置くことは設備やコストの観点から困難である。例えば、フランチャイズ型の業種の場合、多数の店舗において同じ情報を提供することが考えられるが、そのような場合に各店舗に情報提供用のサーバを設置しては効率が悪い。
【０００５】
そこで、設備やコストの削減のために、ビーコンを用いたシステムが考えられている。ビーコンとは、赤外線通信などの無線通信によって小さなサイズのデータを送信するための信号であり、無線標識とも呼ばれる。以下では、ビーコンを用いて送信される情報を「ビーコン電文」という。ビーコンを用いたシステムとしては、例えば、比較的簡単なビーコン電文を比較的狭い範囲に送出し、ビーコン電文を受信した端末装置が、受信したビーコン電文により指定された上位サーバにアクセスして指定された情報を得るというシステムが考えられる。
【０００６】
ただし、ビーコンの送信装置を単体で設置する場合、ビーコンを出力するために電源の確保が重要となるが、電波の到達状況及び設置場所の環境などの諸条件により電源の確保が困難となるおそれがある。また、バッテリをビーコンの送信装置に搭載することが考えられるが、バッテリの充電及びバッテリ交換が必要となり、管理が煩雑になってしまう。
【０００７】
この点、照明器具は、その性質上電力が容易に供給される状態にある。そこで、照明器具にビーコンの送信装置を取り付けることが考えられる。
【０００８】
従来、無線通信を行う照明器具として、発光部を遮らない位置に設けられた基板上のアンテナで無線信号を受けて点灯制御を行う照明用光源が提案されている。
【先行技術文献】
【特許文献】
【０００９】
【特許文献１】特開２０１２−２２７０２１号公報
【発明の概要】
【発明が解決しようとする課題】
【００１０】
しかしながら、単に照明器具の電源を情報送信装置に利用した場合、照明の電力供給の大元の電源を切り照明を消灯させた場合には、照明装置に対する電力供給が停止してしまうおそれがある。そのため、照明器具にビーコンの送信装置を搭載させても、照明消灯時にはビーコンの出力が停止してしまうおそれがある。また、点灯制御を行う無線装置を内蔵した従来の照明器具であっても、大元の電源が切られた場合には、無線装置に対する電力供給は停止し、ビーコンの出力が停止するおそれがある。
【００１１】
開示の技術は、上記に鑑みてなされたものであって、ビーコン出力のための電源を安定して確保する照明器具を提供することを目的とする。
【課題を解決するための手段】
【００１２】
本願の開示する照明器具は、一つの態様において、バッテリを備える。そして、発光部は、商用電源又は前記バッテリのいずれかを電力供給元として発光する。情報出力部は、前記商用電源から電力が供給されている場合、前記商用電源から供給される電力により動作し、前記商用電源から供給される電力が停止した場合、前記バッテリから供給される電力により動作して、所定の情報を出力する。
【図面の簡単な説明】
【００１３】
【図１】図１は、ビーコンを用いた情報提供システムのシステム構成図である。
【図２】図２は、第１の実施形態に係る照明器具のブロック図である。
【図３】図３は、ＬＥＤ照明部の詳細を表す回路図である。
【図４】図４は、照明器具の一例を示す概略図である。
【図５Ａ】図５Ａは、照明器具の他の例の側面図である。
【図５Ｂ】図５Ｂは、図５ＡにおけるＡ−Ａ’断面の断面図である。
【図６】図６は、第１の実施形態に係る照明器具によるビーコンの送信処理のフローチャートである。
【図７】図７は、第２の実施形態に係る照明器具のブロック図である。
【発明を実施するための形態】
【００１４】
以下に説明する実施形態に係る照明器具１は、バッテリ１０３と、発光部と、ビーコン送信部１０１とを具備する。発光部は、商用電源１０又はバッテリ１０３のいずれかを電力供給元として発光する。ビーコン送信部１０１は、商用電源１０から電力が供給されている場合、商用電源１０から供給される電力により動作し、商用電源１０から供給される電力が停止した場合、バッテリ１０３から供給される電力により動作して、所定の情報を出力する。
【００１５】
また、以下に説明する実施形態に係る発光素子は、Light  Emitting  Diode（ＬＥＤ）素子１３１である。
【００１６】
また、以下に説明する実施形態に係る照明器具１は、非常灯又は誘導灯である。
【００１７】
また、以下に説明する実施形態に係るビーコン送信部１０１は、無線標識を出力する。
【００１８】
また、以下に説明する実施形態に係るビーコン送信部１０１は、商用電源１０から供給される電力により動作する場合に通常用のビーコン電文を出力し、バッテリ１０３から供給される電力により動作する場合に非常用のビーコン電文を出力する。
【００１９】
また、以下に説明する実施形態に係るビーコン送信部１０１は、充電制御部１０２から電源の切替通知を受信して、出力する情報を切り替える。
【００２０】
また、以下に説明する実施形態に係る商用電源側スイッチ１０４は、商用電源１０と発光部との結線上で、且つ商用電源１０とビーコン送信部１０１との結線以外の場所に設けられ、発光部への商用電源１０からの電力供給を遮断する。また、ビーコン送信部１０１は、商用電源とバッテリとの結線上で、且つバッテリと光源との結線上に接続される。
【００２１】
以下、図面を参照して、実施形態に係る制御システムを説明する。実施形態において同一の部位には同一の符号を付し、重複する説明は省略される。
【００２２】
（第１の実施形態）
まず、図１〜図６を用いて、第１の実施形態に係る制御システムについて説明する。なお、以下の説明では、照明部材としてＬＥＤ（Light  Emitting  Diode）を用いた場合を例に説明するが、照明部材はこれに限らない。例えば、白熱灯などでもよい。
【００２３】
［情報提供システムの構成］
図１は、ビーコンを用いた情報提供システムのシステム構成図である。照明器具１は、例えば、公共施設に設置された誘導灯である。照明器具１は、無線標識であるビーコンを出力するビーコン送信部１０１を備える。照明器具１については後で詳細に説明する。ビーコン送信部１０１は、近距離無線通信を用いてビーコンを出力する。具体的には、ビーコン送信部１０１は、後述するように通常時は通常用ビーコンを出力する。また、商用電源からの電力供給が停止した場合、ビーコン送信部１０１は、非常用ビーコンを出力する。
【００２４】
端末装置２は、スマートフォンやタブレット型ＰＣ（Personal  Computer）などの携帯型端末装置である。端末装置２は、ビーコン送信部１０１から出力されたビーコンを受信する。そして、端末装置２は、通常用ビーコンを受信した場合、広告用メッセージサーバ４からのメッセージ取得要求を基地局３へ送信する。また、非常用ビーコンを受信した場合、端末装置２は、非常用メッセージサーバ５からのメッセージ取得要求を基地局３へ送信する。その後、端末装置２は、メッセージ取得要求に応じたメッセージを基地局３から取得し、ディスプレイに表示するなどして操作者に提供する。
【００２５】
基地局３は、端末装置２による電話網などのネットワークへのアクセスを仲介する装置である。基地局３は、広告用メッセージサーバ４からのメッセージ取得要求を端末装置２から受信すると、広告用メッセージサーバ４に対してメッセージの取得要求を送信する。その後、基地局３は、広告用メッセージサーバ４から広告用のメッセージを取得する。そして、基地局３は、広告用メッセージを端末装置２へ送信する。
【００２６】
また、非常用メッセージサーバからのメッセージ取得要求を端末装置２から受信すると、基地局３は、非常用メッセージサーバ５に対してメッセージの取得要求を送信する。その後、基地局３は、非常用メッセージサーバ５から非常用のメッセージを取得する。そして、基地局３は、非常用メッセージを端末装置２へ送信する。
【００２７】
広告用メッセージサーバ４は、照明器具１が配置された施設に関する広告などの広告用メッセージを予め記憶している。そして、広告用メッセージサーバ４は、メッセージの取得要求を基地局３から受信すると、記憶している広告用メッセージを基地局３へ出力する。
【００２８】
非常用メッセージサーバ５は、照明器具１が配置された施設における避難先の情報などの非常用メッセージを予め記憶している。そして、非常用メッセージサーバ５は、メッセージの取得要求を基地局３から受信すると、記憶している非常用メッセージを基地局３へ出力する。
［照明装置の構成］
【００２９】
図２は、第１の実施形態に係る照明器具のブロック図である。ここで、図２における各部を接続する線は電気の伝送路を表す。また、図２における矢印は制御信号の流れを表す。照明器具１は、図２に示すように、商用電源１０に接続されている。商用電源１０は、照明器具１に交流の電気を供給する。
【００３０】
照明器具１は、ビーコン送信部１０１、充電制御部１０２、バッテリ１０３、商用電源側スイッチ１０４、バッテリ側スイッチ１０５、ＬＥＤ電源制御部１０６、非常用電源制御部１０７、電源選択スイッチ１０８及びＬＥＤ照明部１０９を有する。
【００３１】
充電制御部１０２は、電力の供給を商用電源１０から受ける。そして、充電制御部１０２は、商用電源１０から電力供給を受けている場合、商用電源側スイッチ１０４をオンにし、バッテリ側スイッチ１０５をオフにする。また、充電制御部１０２は、電源選択スイッチ１０８をＬＥＤ電源側、すなわちＬＥＤ電源制御部１０６とＬＥＤ照明部１０９とを接続するように切り替える。これにより、商用電源１０から供給された電力が、ＬＥＤ照明部１０９へ供給される。
【００３２】
また、商用電源１０から電力供給を受けている場合、充電制御部１０２は、商用電源１０から供給された電気の電圧をバッテリ１０３の充電電圧に調整する。そして、充電制御部１０２は、電圧を調整した電気をバッテリ１０３に供給する。
【００３３】
さらに、充電制御部１０２は、商用電源１０から供給された電力をビーコン送信部１０１にも供給する。また、商用電源１０から電力供給を受けている場合、充電制御部１０２は、商用電源使用の通知をビーコン送信部１０１の出力部１１１へ出力する。
【００３４】
これに対して、商用電源１０からの電力供給が停止した場合、充電制御部１０２は、商用電源側スイッチ１０４をオフにし、バッテリ側スイッチ１０５をオンにする。また、充電制御部１０２は、電源選択スイッチ１０８を非常用電源１０７側、すなわち非常用電源制御部１０７とＬＥＤ照明部１０９とを接続するように切り替える。これにより、商用電源１０からＬＥＤ照明部１０９へ繋がる伝送路が切断され、バッテリ１０３から出力される電力が、ＬＥＤ照明部１０９へ供給されるようになる。
【００３５】
この場合、商用電源１０からの供給電力が停止しているので、商用電源１０から供給された電力のバッテリ１０３への供給は停止する。
【００３６】
さらに、商用電源１０から電力供給を受けている場合、充電制御部１０２は、バッテリ使用の通知をビーコン送信部１０１の出力部１１１へ出力する。
【００３７】
バッテリ１０３は、商用電源１０からの電力供給がある場合、商用電源１０から供給された電気を蓄電していく。
【００３８】
そして、商用電源１０からの電力供給が途絶えた場合、バッテリ１０３は、蓄電した電気を出力する。この場合、バッテリ１０３から出力された電力は、ビーコン送信部１０１及び非常用電源制御部１０８へ送信される。
【００３９】
商用電源側スイッチ１０４は、商用電源１０とＬＥＤ電源制御部１０６とを結ぶ伝送路の接続及び切断を行うスイッチである。商用電源側スイッチ１０４は、商用電源１０からの電力供給がある場合、充電制御部１０２からの指示を受けてオンになる。さらに、商用電源側スイッチ１０４は、充電制御部１０２からオンの指示を受けている状態で、すなわち商用電源１０から電力供給が行われている状態で、外部の電源ボタン（不図示）が利用者に押下されることにより、オンオフが行われる。このように、照明器具１の電源ボタンにより商用電源側スイッチ１０４のオンオフが行われることで、利用者はＬＥＤ照明部１０９の点灯を制御できる。この商用電源側スイッチ１０４が、「遮断機構」の一例にあたる。
【００４０】
ここで、商用電源側スイッチ１０４は、商用電源１０とビーコン送信部１０１との結線上にはない。そのため、商用電源１０から電力供給が行われている状態で、利用者によりＬＥＤ照明部１０９が消灯されても、ビーコン送信部１０１は、商用電源１０からの電力供給を継続して受けることができる。また、本実施例では、商用電源１０からの電力供給がある状態でＬＥＤ照明部１０９の点灯や消灯の制御を商用電源側スイッチ１０４で行ったが、これとは別のスイッチを設けてもよい。ただし、ＬＥＤ照明部１０９の点灯や消灯の制御用のスイッチは、商用電源１０とビーコン送信部とを結ぶ結線上以外の場所に配置されることが好ましい。
【００４１】
また、商用電源１０からの電力供給が途絶えた場合、商用電源側スイッチ１０４は、充電制御部１０２からの指示を受けてオフになる。
【００４２】
バッテリ側スイッチ１０５は、バッテリ１０３と非常用電源制御部１０７とを結ぶ伝送路の接続及び切断を行うスイッチである。バッテリ側スイッチ１０５は、商用電源１０からの電力供給が途絶えた場合、充電制御部１０２からの指示を受けてオンになる。また、バッテリ側スイッチ１０５は、商用電源１０から電力の供給が行われた場合、充電制御部１０２からの指示を受けてオフになる。
【００４３】
ＬＥＤ電源制御部１０６は、商用電源１０から電力が供給されている場合、商用電源側スイッチ１０４を介して電気の入力を受ける。そして、ＬＥＤ電源制御部１０６は、受信した電気を交流（ＡＣ：Alternating  Current）から直流（ＤＣ：Direct  Current）に変換する。また、ＬＥＤ電源制御部１０６は、ＡＣ／ＤＣ変換した電気の電圧をＬＥＤ照明部１０９の駆動電圧に調整する。そして、ＬＥＤ電源制御部１０６は、電気を定電流にして電源選択スイッチ１０８を介してＬＥＤ照明部１０９へ入力する。
【００４４】
非常用電源制御部１０７は、商用電源１０からの電力供給が途絶えている場合、バッテリ側スイッチ１０５を介して電気の入力を受ける。そして、非常用電源制御部１０７は、受信した電気をＬＥＤ照明部１０９の駆動電圧に調整する。その後、非常用電源制御部１０７は、電気を定電流にして電源選択スイッチ１０８を介してＬＥＤ照明部１０９へ入力する。
【００４５】
電源選択スイッチ１０８は、ＬＥＤ照明部１０９への電源としてＬＥＤ電源制御部１０６又は非常用電源制御部１０７の何れかを選択するためのスイッチである。電源選択スイッチ１０８は、商用電源１０から電力の供給が行われている場合、充電制御部１０２からの指示を受けて、ＬＥＤ電源制御部１０６とＬＥＤ照明部１０９とを接続する。また、商用電源１０からの電力供給が途絶えた場合、電源選択スイッチ１０８は、充電制御部１０２からの指示を受けて、非常用電源制御部１０７とＬＥＤ照明部１０９とを接続する。
【００４６】
ＬＥＤ照明部１０９は、ＬＥＤ素子を有する発光部材である。図３は、ＬＥＤ照明部の詳細を表す回路図である。図３では、説明の都合上、ＬＥＤ照明部１０９がＬＥＤ電源制御部１０６に接続されている場合を表しているが、非常用電源制御部１０７に接続される場合も、ＬＤＥ電源制御部１０６が非常用電源制御部１０７に変わるだけで同様の構成である。
【００４７】
図３に示すように、ＬＥＤ照明部１０９は、複数のＬＥＤ素子１９１が直列に接続されている。ＬＥＤ素子１９１は、基板上に配置される。このＬＥＤ素子１９１が、「発光素子」の一例にあたる。
【００４８】
ＬＥＤ照明部１０９は、定電流の入力をＬＥＤ電源１０６から受ける。そして、各ＬＥＤ素子１９１は、定電流の入力を受けて発光する。
【００４９】
図２に戻って説明を続ける。ビーコン送信部１０１は、出力部１１１及び電文記憶部１１２を有する。ビーコン送信部１０１は、ＬＳＩ（Large  Scale  Integration）などによって実現される。
【００５０】
電文記憶部１１２は、メモリなどの記憶装置である。電文記憶部１１２は、通常用のビーコン電文及び非常用のビーコン電文を予め記憶している。通常用のビーコン電文は、例えば、広告用メッセージサーバ４の識別情報を含む。また、非常用のビーコン電文は、例えば、非常用メッセージサーバ５の識別情報を含む。この通常用のビーコン電文が、「第１情報」にあたる。また、非常用のビーコン電文が、「第２情報」にあたる。
【００５１】
出力部１１１は、照明器具１が商用電源１０から電力供給を受けている場合、商用電源１０の使用の通知を充電制御部１０２から受ける。出力部１１１は、商用電源１０の使用の通知を受けると、通常用のビーコン電文を電文記憶部１１２から取得する。そして、出力部１１１は、通常用のビーコン電文を送信する通常用ビーコンを出力する。
【００５２】
また、出力部１１１は、照明器具１に対する商用電源１０からの電力供給が途絶えた場合、バッテリ１０３の使用の通知を充電制御部１０２から受ける。出力部１１１は、バッテリ１０３の使用の通知を受けると、非常用のビーコン電文を電文記憶部１１２から取得する。そして、出力部１１１は、非常用のビーコン電文を送信する非常用ビーコンを出力する。
【００５３】
次に、図４を参照して、本実施形態に係る照明器具の一例について説明する。図４は、照明器具の一例を示す概略図である。図４は、照明器具の光源カバー１１０を付けた状態の平面図と光源カバー１１０を取り外した状態の平面図とを合わせて表している。具体的には、図４における右側が光源カバー１１０を付けた状態を表し、左側が光源カバー１１０を取り外した状態を表している。
【００５４】
照明器具１は、実際に施設に設置された状態では外側が光源カバー１１０で覆われている。光源カバー１１０は、例えば樹脂製やガラス製などである。
【００５５】
光源カバー１１０の内部には、複数のＬＥＤ素子１９１が配置されている。ＬＥＤ素子１９１は、基板１９２上に搭載されている。さらに、基板１９２のＬＥＤ素子１９１と同じ面上に無線モジュール２００が搭載されている。無線モジュール２００は、アンテナや信号送信用回路などを有する。無線モジュール２００がビーコン送信部１０１の一例にあたる。
【００５６】
また、図４では、無線モジュール２００全体が基板１９２のＬＥＤ素子１９１と同じ面上に配置されているが、アンテナがＬＥＤ素子１９１と同じ面にあれば、無線モジュール２００の配置はこれに限らない。例えば、アンテナを基板１９２上のパターンとしてＬＥＤ素子１９１と同じ面に配し、無線モジュール２００のアンテナ以外の部材を基板１９２の反対側の面に設置してもよい。さらには、無線モジュール２００のアンテナ以外の部材は、基板１９２上に無くてもよい。
【００５７】
さらに、図５Ａ及び図５Ｂを参照して、本実施形態に係る照明器具の他の例について説明する。図５Ａは、照明器具の他の例の側面図である。図５Ｂは、図５ＡにおけるＡ−Ａ’断面の断面図である。
【００５８】
図５Ａにおける照明器具も外側が、光源カバー１１０で覆われている。この光源カバー１１０も、例えば樹脂製やガラス製などである。
【００５９】
そして、光源カバー１１０の内部に、基板１９２が配置され、その基板１９２上にＬＥＤ素子１９１が搭載されている。図５Ｂでは、１つの光源としてＬＥＤ素子１９１が記載されているが、実際には、複数のＬＥＤ素子１９１がまとまって、一つの光源となっている。さらに、基板１９２のＬＥＤ素子１９１と同じ面上に無線モジュール２００が搭載されている。この場合も、無線モジュール２００の配置はこれに限らない。
【００６０】
［照明装置による処理の手順］
次に、図６を参照して、本実施形態に係る照明器具によるビーコンの送信処理の流れについて説明する。図６は、第１の実施形態に係る照明器具によるビーコンの送信処理のフローチャートである。
【００６１】
充電制御部１０２は、商用電源１０からの電力供給があるか否かを判定する（ステップＳ１）。商用電源１０からの電力供給がある場合（ステップＳ１：肯定）、充電制御部１０２は、商用電源側スイッチ１０４をオンにし、バッテリ側スイッチ１０５をオフにする（ステップＳ２）。
【００６２】
さらに、充電制御部１０２は、ＬＥＤ電源制御部１０６側に電源選択スイッチ１０８を切り替える（ステップＳ３）。
【００６３】
次に、充電制御部１０２は、商用電源１０の使用の通知をビーコン送信部１０１の出力部１１１に送信する（ステップＳ４）。
【００６４】
これに対して、商用電源１０からの電力供給が途絶えている場合（ステップＳ１：否定）、充電制御部１０２は、商用電源側スイッチ１０４をオフにし、バッテリ側スイッチ１０５をオンにする（ステップＳ５）。
【００６５】
さらに、充電制御部１０２は、非常用電源制御部１０７側に電源選択スイッチ１０８を切り替える（ステップＳ６）。
【００６６】
次に、充電制御部１０２は、バッテリ１０３の使用の通知をビーコン送信部１０１の出力部１１１に送信する（ステップＳ７）。
【００６７】
ビーコン送信部１０１の出力部１１１は、商用電源１０の使用の通知又はバッテリ１０３の使用の通知を充電制御部１０２から受ける。そして、出力部１１１は、商用電源１０を使用しているか否かを判定する（ステップＳ８）。
【００６８】
商用電源１０を使用している場合（ステップＳ８：肯定）、出力部１１１は、広告用のビーコン電文を電文記憶部１１２から取得する。そして、出力部１１１は、広告用のビーコン電文を送信する広告用ビーコンを端末装置２へ送信する（ステップＳ９）。
【００６９】
これに対して、バッテリ１０３を使用している場合、すなわち、商用電源１０を使用していない場合（ステップＳ８：否定）、出力部１１１は、非常用のビーコン電文を電文記憶部１１２から取得する。そして、出力部１１１は、非常用のビーコン電文を送信する非常用ビーコンを端末装置２へ送信する（ステップＳ１０）。
【００７０】
次に、充電制御部１０２は、照明器具１の動作を停止するか否かを判定する（ステップＳ１１）。例えば、電力供給が停止されるとともに、ビーコン送信用のスイッチが押下されるなどしてビーコン送信の停止が指示された場合などに、充電制御部１０２は、動作を停止すると判定する。
【００７１】
充電制御部１０２が動作を停止しないと判定した場合（ステップＳ１１：否定）、充電制御部１０２は、電源が変更されたか否かを判定する（ステップＳ１２）。電源が変更された場合とは、例えば、照明器具１が商用電源１０の供給電力で動作している状態で、商用電源１０からの電力供給が途絶えた場合や、バッテリ１０３で駆動している状態で、商用電源１０からの電力供給が回復した場合などである。
【００７２】
電源が変更されていない場合（ステップＳ１２：否定）、処理は、ステップＳ８へ戻る。これに対して、電源が変更された場合（ステップＳ１２：肯定）、処理は、ステップＳ１へ戻る。
【００７３】
一方、動作を停止すると判定した場合（ステップＳ１１：肯定）、ビーコン送信部１０１はビーコンの送信を停止し、充電制御部１０２は、照明器具１の動作を停止させ処理を終了する。
【００７４】
［第１の実施形態の効果］
以上に説明したように、本実施形態に係る照明器具は、商業電源などの照明器具に電力を供給する大元からの電力供給が有る場合及び大元からの電力供給が途絶えた場合の何れにおいても、ビーコン出力のための電源を安定して確保することができる。また、商用電源とＬＥＤ照明部との結線上で、商用電源とビーコン送信部との結線以外の場所に、ＬＥＤ照明部の点灯及び消灯用のスイッチがある。そのため、商用電源から電力供給が行われている状態で、利用者によりＬＥＤ照明部が消灯されても、ビーコン送信部は、商用電源からの電力供給を継続して受けることができる。このため、本実施形態に係る照明器具は、継続的にビーコンを送信することができる。したがって、電源の供給状態にかかわらずに、端末装置への情報提供を安定して継続することが可能となる。
【００７５】
また、大元からの電源供給が途絶えた場合のメッセージを通常のメッセージと異ならせることで、通常時には広告を提供し、非常時には緊急情報を提供することができ、状況に応じた情報提供を行うことができる。
【００７６】
（第２の実施形態）
図７は、第２の実施形態に係る照明器具のブロック図である。本実施形態に係る照明器具１は、例えば、非常灯である。
【００７７】
［照明装置の構成］
本実施形態に係る照明器具１は、図７に示すように、ＬＥＤ照明部１０９は、バッテリ１０３からの電力の伝送経路のみを有する。これは、本実施形態に係る照明器具１は、非常灯であり、通常は消灯しており、商用電源からの電力供給が停止した場合に、ＬＥＤ照明部０９を発光させるためである。
【００７８】
充電制御部１０２は、商用電源１０からの電力供給がある場合、バッテリ側スイッチ１０５をオフにする。この場合、充電制御部１０２は、商用電源１０から供給された電気の電圧調整などを行った後に、ビーコン送信部１０１及びバッテリ１０３に供給する。また、充電制御部１０２は、ビーコン送信部１０１の出力部１１１へ商用電源１０の使用を通知する。これにより、商用電源１０からの電力供給がある通常状態において、ビーコン送信部１０１は、通常用ビーコンを出力する。
【００７９】
充電制御部１０２は、商用電源１０からの電力供給がある場合、スイッチ１０５をオフにする。この場合、充電制御部１０２は、商用電源１０から供給された電気の電圧調整などを行った後に、ビーコン送信部１０１及びバッテリ１０３に供給する。また、充電制御部１０２は、ビーコン送信部１０１の出力部１１１へ商用電源１０の使用を通知する。これにより、商用電源１０からの電力供給がある通常状態において、ビーコン送信部１０１は、通常用ビーコンを出力する。
【００８０】
また、充電制御部１０２は、商用電源１０からの電力供給が途絶えた場合、バッテリ側スイッチ１０５をオンにする。これにより、バッテリ１０３からの電力がＬＥＤ照明部１０９へ供給され、ＬＥＤ照明部１０９が点灯する。そして、充電制御部１０２は、ビーコン送信部１０１の出力部１１１へ商用電源１０の使用を通知する。これにより、商用電源１０からの電力供給が途絶えた非常事態になると、ビーコン送信部１０１は、非常用ビーコンを出力する。
【００８１】
［第２の実施形態の効果］
以上に説明したように、非常灯においても、ビーコン送信部は常時電力供給を受けるのでビーコン出力のための電源を安定して確保することができ、ビーコンの送信を継続することができる。
【００８２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８３】
１  照明器具
２  端末装置
３  基地局
４  広告用メッセージサーバ
５  非常用メッセージサーバ
１０  商用電源
１０１  ビーコン送信部
１０２  充電制御部  
１０３  バッテリ
１０４  商用電源側スイッチ
１０５  バッテリ側スイッチ
１０６  ＬＥＤ電源制御部
１０７  非常用電源制御部
１０８  電源選択スイッチ
１０９  ＬＥＤ照明部
１１０  光源カバー
１１１  出力部
１１２  電文記憶部
１９１  ＬＥＤ素子
１９２  基板
２００  無線モジュール
【図１】
2016181453.tif 000003
【図２】
2016181453.tif 000004
【図３】
2016181453.tif 000005
【図４】
2016181453.tif 000006
【図５Ａ】
2016181453.tif 000007
【図５Ｂ】
2016181453.tif 000008
【図６】
2016181453.tif 000009
【図７】
2016181453.tif 000010